(57)【要約】【課題】携帯し易く、必要な時に簡単且つ素早く使用することができ、携帯中のレンズの保護も可能な汎用性の高い立体視ビューワーを提供する。【解決手段】立体視ビューワーは、２つのレンズが嵌められた表板部材と、携帯型表示機器を当接したときに表示画面を露出させる開口が設けられた裏板部材と、表板部材と裏板部材との間に設けられた連結部と、を有する本体と、該本体に巻き付けられたカバーとを備え、カバーの一端は表板部材の下側の端部領域に固定され、カバーの他端は表板部材の外側表面に、レンズがカバーに覆われる第１の位置とレンズがカバーに覆われない第２の位置との間でスライド可能に取り付けられ、カバーの他端が第１の位置にあるとき連結部が折り畳まれ、カバーの他端が第２の位置にあるとき、連結部が開いて表面部材と裏面部材との間隔が拡げられる。【選択図】図１
2019205147.tif 000002
【特許請求の範囲】
【請求項１】
表示画面を有する携帯型表示機器を取り付けて使用される立体視ビューワーであって、
２つのレンズが嵌め込まれた第１の板状部材と、
前記第１の板状部材と対向して配置された第２の板状部材であって、前記携帯型表示機器の前記表示画面が設けられた面を当接した場合に、前記表示画面の少なくとも一部を露出させる開口が設けられた第２の板状部材と、
前記第１の板状部材と前記第２の板状部材との間に設けられ、前記第１の板状部材と前記第２の板状部材とを連結する折り畳み可能な連結部と、
を有する本体と、
少なくとも１つの方向において変形可能なシート状の部材により形成されたカバーであって、前記２つのレンズが並べられた方向である第１の方向と直交する方向に沿って前記第１及び第２の板状部材の外側表面の少なくとも一部に巻き付けられたカバーと、
を備え、
前記カバーの第１の端部は、前記第１の板状部材の前記第１の方向と平行な一方の端部領域に固定され、
前記カバーの前記第１の端部の反対側である第２の端部は、前記第１の板状部材の外側表面に対し、前記第１の方向と直交する第２の方向に沿って、前記２つのレンズが前記カバーによって覆われる第１の位置と前記２つのレンズが前記カバーによって覆われない第２の位置との間でスライド可能に取り付けられ、
前記カバーの前記第２の端部が前記第１の位置にあるとき、前記連結部が折り畳まれて前記第１の板状部材と前記第２の板状部材とが接近し、
前記カバーの前記第２の端部が前記第２の位置にあるとき、前記連結部が開いて前記第１の板状部材と前記第２の板状部材との間隔が拡げられる、立体視ビューワー。
【請求項２】
可撓性及び伸縮性を有する材料によって形成され、前記第２の板状部材の外側表面に取り付けられたシート部材であって、前記第１の方向における両端のうちの少なくとも一方が前記第２の板状部材に対して開放されたシート部材をさらに備える、請求項１に記載の立体視ビューワー。
【請求項３】
前記連結部は、前記第１及び第２の板状部材を互いに離れる方向に付勢している、請求項１又は２に記載の立体視ビューワー。
【請求項４】
前記カバーの前記第２の端部に、前記第１の方向と平行な棒状部材が取り付けられている、請求項１〜３のいずれか１項に記載の立体視ビューワー。
【請求項５】
前記開口は、前記第１の方向の中央において、２つの領域に分割されている、請求項１〜４のいずれか１項に記載の立体視ビューワー。
【請求項６】
前記第１及び第２の板状部材の各々の前記第１の方向の両端に側壁が設けられている、請求項１〜５のいずれか１項に記載の立体視ビューワー。
【請求項７】
前記第１及び第２の板状部材の各々の前記第２の方向の両端は、前記本体の内側に向かって湾曲している、請求項１〜６のいずれか１項に記載の立体視ビューワー。
【発明の詳細な説明】
【技術分野】
【０００１】
本発明は、スマートフォン等の表示画面を有する携帯機器を取り付けて使用される立体視ビューワーに関する。
【背景技術】
【０００２】
近年、スマートフォンや携帯型ゲーム装置のように表示画面を有する携帯機器（以下、携帯型表示機器という）を取り付け、該携帯型表示機器の表示画面を立体視するビューワー（立体視ビューワー）が知られている（例えば特許文献１参照）。最近では、携帯型表示機器を取り付ける筐体を組み立てたり、折り畳めるようにした様々なタイプの立体視ビューワーも考案されている（例えば特許文献２〜５参照）。このような立体視ビューワーは、ＶＲ（バーチャルリアリティ）ゴーグル、ヘッドマウントディスプレイ用箱体、ステレオビューワー、立体鏡などとも呼ばれる。
【先行技術文献】
【特許文献】
【０００３】
【特許文献１】意匠登録第１５９７４３７号公報
【特許文献２】意匠登録第１５２４１０６号公報
【特許文献３】特開２０１３−１９０４５０号公報
【特許文献４】意匠登録第１５９４３５７号公報
【特許文献５】特表２０１６−５１４２７５号公報
【発明の概要】
【発明が解決しようとする課題】
【０００４】
折り畳めるタイプの立体視ビューワーは、携帯や収納の際に便利である。しかしながら、特許文献２においては、立体視ビューワーの組み立て手順が煩雑であるため、頻繁に組み立てたり分解したりする場合には適していない。また、分解すると、段ボールなどの厚手の紙を単に折り重ねた状態になるため、携帯に適しているとも言い難い。さらに、特許文献２においては、所定のサイズの領域（ポケット部）に携帯型表示機器を収納するため、携帯型表示機器のサイズによっては当該立体視ビューワーを使用できない場合がある。
【０００５】
また、特許文献３〜５においては、携帯型表示機器の一部しか立体視ビューワーに保持されないため不安定である。そのため、ユーザは、コンテンツを鑑賞している間、立体視ビューワーと携帯型表示機器の両方を常に保持していなければならず、気を遣う必要がある。
【０００６】
また、特許文献２においては、組み立てた筐体の隙間から外部の光が筐体内に入り込むおそれがある。また、特許文献３〜５においては、携帯型表示機器を立体視ビューワーに取り付けた状態では携帯型表示機器がむき出しである。つまり、特許文献２〜５においては、周囲の光がユーザの視界に入ることにより、鑑賞中のコンテンツへの没入感が低下するおそれがある。
【０００７】
さらに、特許文献５においては、立体視ビューワーを折り畳んだ状態（特許文献５の図１３参照）でもレンズがむき出しになっているため、携帯した場合にレンズが傷つくおそれがある。また、レンズがむき出しになっている場合、直射日光を避けるなど保管場所に気を遣う必要もある。
【０００８】
本発明は上記に鑑みてなされたものであって、携帯し易く、必要な時に簡単且つ素早く使用可能な状態にすることができ、携帯型表示機器を安定保持することができると共に、様々なサイズの携帯型表示機器を使用可能な汎用性を有する立体視ビューワーを提供することを目的の１つとする。また、本発明は、立体視ビューワーの使用中、ユーザの視界への外部の光の侵入を抑制することができ、携帯中にはレンズを保護することができる立体視ビューワーを提供することを目的とする。
【課題を解決するための手段】
【０００９】
上記課題を解決するために、本発明の一態様である立体視ビューワーは、表示画面を有する携帯型表示機器を取り付けて使用される立体視ビューワーであって、２つのレンズが嵌め込まれた第１の板状部材と、前記第１の板状部材と対向して配置された第２の板状部材であって、前記携帯型表示機器の前記表示画面が設けられた面を当接した場合に、前記表示画面の少なくとも一部を露出させる開口が設けられた第２の板状部材と、前記第１の板状部材と前記第２の板状部材との間に設けられ、前記第１の板状部材と前記第２の板状部材とを連結する折り畳み可能な連結部と、を有する本体と、少なくとも１つの方向において変形可能なシート状の部材により形成されたカバーであって、前記２つのレンズが並べられた方向である第１の方向と直交する方向に沿って前記第１及び第２の板状部材の外側表面の少なくとも一部に巻き付けられたカバーと、を備え、前記カバーの第１の端部は、前記第１の板状部材の前記第１の方向と平行な一方の端部領域に固定され、前記カバーの前記第１の端部の反対側である第２の端部は、前記第１の板状部材の外側表面に対し、前記第１の方向と直交する第２の方向に沿って、前記２つのレンズが前記カバーによって覆われる第１の位置と前記２つのレンズが前記カバーによって覆われない第２の位置との間でスライド可能に取り付けられ、前記カバーの前記第２の端部が前記第１の位置にあるとき、前記連結部が折り畳まれて前記第１の板状部材と前記第２の板状部材とが接近し、前記カバーの前記第２の端部が前記第２の位置にあるとき、前記連結部が開いて前記第１の板状部材と前記第２の板状部材との間隔が拡げられるものである。
【００１０】
上記立体視ビューワーは、可撓性及び伸縮性を有する材料によって形成され、前記第２の板状部材の外側表面に取り付けられたシート部材であって、前記第１の方向における両端のうちの少なくとも一方が前記第２の板状部材に対して開放されたシート部材をさらに備えても良い。
【００１１】
上記立体視ビューワーにおいて、前記連結部は、前記第１及び第２の板状部材を互いに離れる方向に付勢しても良い。
【００１２】
上記立体視ビューワーにおいて、前記カバーの前記第２の端部に、前記第１の方向と平行な棒状部材が取り付けられていても良い。
【００１３】
上記立体視ビューワーにおいて、前記開口は、前記第１の方向の中央において、２つの領域に分割されていても良い。
【００１４】
上記立体視ビューワーにおいて、前記第１及び第２の板状部材の各々の前記第１の方向の両端に側壁が設けられていても良い。
【００１５】
上記立体視ビューワーにおいて、前記第１及び第２の板状部材の各々の前記第２の方向の両端は、前記本体の内側に向かって湾曲していても良い。
【発明の効果】
【００１６】
本発明によれば、第１の板状部材においてカバーをスライドさせることにより、レンズがカバーに覆われると共に連結部が折り畳まれて第１の板状部材と第２の板状部材とが接近する状態と、レンズが露出し、連結部が開いて第１の板状部材と第２の板状部材との間隔が拡げられる状態とを簡単に切り替えることができる。従って、携帯し易く、必要な時に簡単且つ素早く使用可能な状態にすることができる立体視ビューワーを実現することができる。
【００１７】
また、本発明によれば、少なくとも１つの方向において変形可能なシート状の部材により形成されたカバーで第１及び第２の板状部材を覆うので、第２の板状部材の外側表面に携帯型表示機器の表示画面を当接させた状態で、携帯型表示機器を安定保持することができると共に、様々なサイズの携帯型表示機器を使用することが可能となる。
【００１８】
また、本発明によれば、上記カバーで携帯型表示機器の周囲を覆うので、立体視ビューワーの使用中、ユーザの視界への外部の光の侵入を抑制することができる。
【００１９】
さらに、本発明によれば、収納状態ではレンズがカバーに覆われているので、携帯中でもレンズを保護することが可能となる。
【図面の簡単な説明】
【００２０】
【図１】本発明の実施形態に係る立体視ビューワーを示す斜視図である。
【図２】本発明の実施形態に係る立体視ビューワーを示す斜視図（収納状態）である。
【図３】本発明の実施形態に係る立体視ビューワーの本体を示す正面図である。
【図４】本発明の実施形態に係る立体視ビューワーの本体を示す背面図である。
【図５】図４に示す本体に保持シートを取り付けた状態を示す背面図である。
【図６】本発明の実施形態に係る立体視ビューワーの本体を示す底面図である。
【図７】図１のＡ−Ａ切断部端面図である。
【図８】本発明の実施形態に係る立体視ビューワーの本体を示す斜視図である。
【図９】本発明の実施形態に係る立体視ビューワーの本体を示す斜視図（収納状態）である。
【図１０】本発明の実施形態に係る立体視ビューワーのカバーを示す模式図である。
【図１１】本発明の実施形態に係る立体視ビューワーにおいてカバーの一部を取り外した状態を示す斜視図である。
【図１２】本発明の実施形態に係る立体視ビューワーの使用方法を説明するための模式図である。
【発明を実施するための形態】
【００２１】
以下、本発明の実施形態に係る立体視ビューワーについて、図面を参照しながら説明する。なお、これらの実施形態によって本発明が限定されるものではない。また、各図面の記載において、同一部分には同一の符号を付して示している。また、以下の説明において参照する図面は、本発明の内容を理解し得る程度に形状、大きさ、及び位置関係を概略的に示しているに過ぎない。即ち、本発明は各図で例示された形状、大きさ、及び位置関係のみに限定されるものではない。
【００２２】
本出願において、板状部材とは、全体として概ね平たい形状をなしている部材のことをいい、部材の端部が湾曲している部材や、部材の主面の大部分の領域が開口している枠体も含むものとする。
【００２３】
図１は、本発明の実施形態に係る立体視ビューワーを示す斜視図である。図２は、同立体視ビューワーを示す斜視図（収納状態）である。本実施形態に係る立体視ビューワー１は、スマートフォンや携帯型ゲーム端末装置等の表示画面を有する携帯型表示機器を取り付け、携帯型表示機器の表示画面を立体視するために使用される機器である。図１及び図２に示すように、立体視ビューワー１は、２つのレンズ３０が取り付けられた本体１０と、該本体の外側表面の少なくとも一部に巻き付けられたカバー２０とを備える。
【００２４】
以下においては、２つのレンズ３０が並べられた方向を左右方向（第１の方向）といい、レンズ３０が並べられた面内において左右方向と直交する方向を上下方向（第２の方向）という。また、上下方向のうち、鼻当て１１２が設けられた側を下側といい、その反対側を上側という。
【００２５】
カバー２０の第１の端部（以下、固定側端部２０１という）は本体１０に固定され、該第１の端部と反対側である第２の端部（以下、スライド側端部２０２という）は本体１０にスライド可能に取り付けられている。立体視ビューワー１は、カバー２０のスライド側端部２０２をスライドさせることにより開閉される構造を有している。即ち、カバー２０のスライド側端部２０２を上方向にスライドさせると（図１参照）、２つのレンズ３０が露出すると共に本体１０が厚み方向に拡がり、立体視ビューワー１が使用可能な状態となる。また、カバー２０のスライド側端部２０２を下方向にスライドさせると（図２参照）、２つのレンズ３０がカバー２０に覆われると共に本体１０が厚み方向に閉じられ、収納状態となる。
【００２６】
図３は、図１に示す立体視ビューワー１の本体１０を示す正面図である。図４は、本体１０を示す背面図である。図５は、本体１０に保持シートを取り付けた状態を示す背面図である。図６は、本体１０を示す底面図である。図７は、図１のＡ−Ａ切断部端面図である。図８は、本体１０を示す斜視図であり、該本体１０を開いた状態を示している。図９は、本体１０の斜視図であり、該本体１０の収納状態を示している。
【００２７】
図３〜図９に示すように、本体１０は、ユーザが左右の眼で覗き込む２つのレンズ３０が嵌め込まれた表板部材（第１の板状部材）１１と、この表板部材１１と対向して配置された裏板部材（第２の板状部材）１２と、表板部材１１と裏板部材１２とを連結する連結部１３とを有する。また、本体１０は、表板部材１１及び裏板部材１２にそれぞれ設けられた側壁１４、１５をさらに有しても良い。
【００２８】
本実施形態において、表板部材１１及び裏板部材１２は、それぞれ、プラスチックを材料とする射出成形により側壁１４、１５と一体的に形成されている。しかしながら、表板部材１１及び裏板部材１２の材料及び製造方法はこれに限定されるものではない。
【００２９】
図３に示すように、表板部材１１の主面は、略長方形状をなしている。表板部材１１の下側の辺（下側端部領域１１ａ参照）には内周側に湾曲した凹部１１１が形成され、この凹部１１１に沿って滑らかに湾曲する鼻当て１１２が設けられている。
【００３０】
表板部材１１のうち、２つのレンズ３０の両外側には、２つのガイドレール１１３が互いに平行に形成されている。ガイドレール１１３は、表板部材１１を貫通する溝であり、カバー２０のスライド側端部２０２をスライドさせるために設けられている。ガイドレール１１３が形成される上下方向の範囲は、少なくとも、２つのレンズ３０の上端部から下端部までの範囲である。好ましくは、レンズ３０の下側においては、本体１０にカバー２０を取り付けた場合に固定側端部２０１と重なる位置まで、ガイドレール１１３を伸ばすと良い。立体視ビューワー１を収納した際に、カバー２０の固定側端部２０１とスライド側端部２０２とを隙間なく閉じることができるからである。また、レンズ３０の上側においては、ユーザがレンズ３０に眼を近づけた際に邪魔にならないように、レンズ３０の上端部よりも数ｍｍ〜数ｃｍ程度上方にガイドレール１１３を伸ばすと良い。
【００３１】
表板部材１１の下側端部領域１１ａには、カバー２０の固定側端部２０１を本体１０に固定する際に用いられる貫通孔１１５が形成されている。
【００３２】
本実施形態においては、レンズ３０の周囲における光の反射を抑制するため、表板部材１１の外側表面１１０の一部にあられ状の凹凸を形成している。しかしながら、外側表面１１０の態様はこれに限定されない。例えば、外側表面１１０全体を滑らかな平面状としても良いし、つや消し加工を外側表面１１０の全体又は一部に施しても良いし、平滑部分とつや消し部分とを交互に配置したストライプ模様や市松模様などを外側表面１１０に施しても良い。
【００３３】
図４に示すように、裏板部材１２の主面は表板部材１１と同様に略長方形状をなしている。本実施形態においては、裏板部材１２の下側の辺（下側端部領域１２ａ参照）に、表板部材１１と同様に凹部１２０を形成しているが、この凹部１２０は必須ではない。凹部１２０を設ける場合、表板部材１１の下側端部領域１１ａと裏板部材１２の下側端部領域１２ａの形状が揃うので、本体１０を閉じた際に下側端部領域１１ａ、１２ａの端面同士を当接させ、本体１０の底面を塞ぐことができるという利点がある。
【００３４】
また、裏板部材１２には、携帯型表示機器の表示画面が設けられた面を当接した場合に、表示画面の少なくとも一部を露出させる開口１２１が形成されている。本実施形態においては、開口１２１の左右方向の略中央に、開口１２１を２つの領域に分割する枠１２２が設けられている。このような枠１２２を設けることにより、携帯型表示機器の外形サイズが開口１２１よりも小さい場合であっても、携帯型表示機器が開口１２１に入り込んでしまうことがなくなり、表示画面を裏板部材１２に当接させた状態を維持することができる。
【００３５】
裏板部材１２の上下の端部近傍には、保持シート４０を取り付けるための固定部１２３が形成されている。保持シート４０は、ビニールやゴムシート等の可撓性及び伸縮性を有する材料によって形成されたシート部材であり、携帯型表示機器を本体１０にしっかりと保持するために用いられる。図５に示すように、保持シート４０の上側及び下側の端部領域には開口４０１が形成されており、これらの開口４０１を固定部１２３に掛けることにより、保持シート４０を裏板部材１２に取り付ける。保持シート４０の左右の両端のうち少なくとも一方（本実施形態においては両方）は、携帯型表示機器の出し入れのため、裏板部材１２に対して開放しておく。なお、保持シート４０を使用することは必須ではないが、保持シート４０を用いる場合には、本体１０に対して携帯型表示機器をより安定的に保持し、位置ずれを防止することができるという利点がある。また、それにより、カバー２０の材料選択の自由度を広げることができる。
【００３６】
なお、表板部材１１及び裏板部材１２の主面の形状は、２つのレンズを保持すると共に、携帯型表示機器を当接可能であり、且つ、カバー２０を巻き付けることができる形状であれば、略長方形状には限定されない。例えば、左右の端部が半円状をなす長円形状などであっても良い。
【００３７】
図６に示すように、連結部１３は、折り畳み可能なヒンジ構造を有し、表板部材１１と裏板部材１２との間に設けられて、表板部材１１と裏板部材１２とを連結する。詳細には、連結部１３は、２つの羽根部１３１、１３２と、各羽根部１３１、１３２の一端側に設けられた軸筒に挿通されて羽根部１３１、１３２同士を連結するピン１３３と、羽根部１３１の他端側に設けられた軸筒及び表板部材１１の裏面に設けられた軸筒に挿通されて羽根部１３１と表板部材１１とを連結するピン１３４と、羽根部１３２の他端側に設けられた軸筒及び裏板部材１２の裏面に設けられた軸筒に挿通されて羽根部１３２と裏板部材１２とを連結するピン１３５とを含む。
【００３８】
ピン１３４には、表板部材１１に対して開く方向に羽根部１３１を付勢するねじりバネ１３６が取り付けられている。また、ピン１３５には、裏板部材１２に対して開く方向に羽根部１３２を付勢するねじりバネ１３７が取り付けられている。これにより、連結部１３が折り畳まれている間、表板部材１１と裏板部材１２とが互いに離れる方向に付勢されている状態となる。そのため、カバー２０を開くことにより、表板部材１１と裏板部材１２とが半自動的に離れて本体１０が厚み方向に膨らむ。
【００３９】
羽根部１３１、１３２には、両者のなす角度（本体１０の外側における角度）を所定の角度（最大１８０°未満の角度）以下に維持するためのストッパー１３８、１３９が設けられている。これにより、本体１０が最大限膨らんだ状態になっても、羽根部１３１、１３２同士が一直線状に開ききることがなくなるので、小さい力でも連結部１３を簡単に折り畳むことができ、本体１０をスムーズに収縮させることが可能となる。
【００４０】
図７〜図９に示すように、表板部材１１の下側端部領域１１ａ及び上側端部領域１１ｂと、裏板部材１２の下側端部領域１２ａ及び上側端部領域１２ｂは、本体１０の内側に向かって湾曲している。これにより、本体１０を厚み方向に収縮させると、表板部材１１及び裏板部材１２の上側の端面同士と、下側の端面同士がそれぞれ当接し、表板部材１１と裏板部材１２との上面及び底面における隙間が塞がれ、本体１０が全体として薄型のボックス状となる（図９参照）。また、表板部材１１及び裏板部材１２の上側端部領域１１ｂ、１２ｂを内側に湾曲させることにより、カバー２０をスライドさせる際のカバー２０の動きをスムーズにすることができるという利点もある。
【００４１】
もっとも、表板部材１１及び裏板部材１２の下側端部領域１１ａ、１２ａ及び上側端部領域１１ｂ、１２ｂは、湾曲させずに平面のままとしても良い。或いは、表板部材１１及び裏板部材１２の上端及び下端に、天井部材や底部材を別途接続しても良い。
【００４２】
側壁１４は表板部材１１と一体的に設けられており、側壁１５は裏板部材１２と一体的に設けられている。ここで、図８に示すように、本体１０が開いている状態では、羽根部１３１、１３２により本体１０の側面が遮光される。これに加えて、側壁１４、１５を設けることにより、羽根部１３１、１３２と表板部材１１、裏板部材１２との隙間を外部から遮蔽することができるので、本体１０内への側面からの光の侵入をより一層抑制することができる。
【００４３】
また、図９に示すように、本体１０が収縮した状態では、側壁１４の端面が裏板部材１２に当接し、表板部材１１と裏板部材１２との間隔が所定の距離に維持される。これにより、レンズ３０の裏面が裏板部材１２に接触して傷付くことを防ぐことができる。また、側壁１４により表板部材１１と裏板部材１２との隙間が塞がれるので、本体１０内への異物の侵入を防ぐこともできる。
【００４４】
なお、本実施形態においては、本体１０を収縮させた際に外側となる側壁１４の表面を平面状にしているが、この面の一部に持ち手用の凹部や突起を設けても良い。
【００４５】
図１０は、カバー２０を示す模式図である。図１１は、立体視ビューワー１からカバー２０の一部を取り外した状態を示す斜視図である。
【００４６】
カバー２０は、布、皮革、人工皮革、ビニール、和紙等の可撓性を有する材料によって形成され、全体として略長方形状をなしている。カバー２０は、本体１０の左右方向と直交する方向に沿って、本体１０に巻き付けられる。
【００４７】
カバー２０の幅Ｗは、少なくとも２つのレンズ３０を覆うことができる長さであり、本体１０の左右方向の長さと概ね同程度とすることが好ましい。他方、幅Ｗと直交する方向（以下、長手方向という）におけるカバー２０の長さは、本体１０を収縮させた状態（図２参照）において、概ね、本体１０に１周巻き付けられる程度の長さとすることが好ましい。
【００４８】
カバー２０の固定側端部２０１の辺には、表板部材１１の鼻当て１１２の幅に概ね合わせて切り欠き２０３が形成されている。また、切り欠き２０３の左右の領域には複数の貫通孔２０４が形成され、スライド側端部２０２の近傍には、複数の貫通孔２０５が形成されている。
【００４９】
図１及び図２に示すように、各レンズ３０の下方には頬当て２１が取り付けられている。頬当て２１は、例えば合成樹脂やゴム等により形成されている。図１１に示すように、頬当て２１は、例えば略楕円又は略長円を若干湾曲させた形状をなしており、裏側には、表板部材１１の貫通孔１１５に嵌合可能な突起２１１が設けられている。頬当て２１は、ユーザの頬がカバー２０に直接接触するのを防ぐと共に、カバー２０を本体１０に固定するために用いられる。もっとも、頬当て２１の材料や形状はこれらに限定されず、ユーザの好みによって付け替えられるようにしても良い。
【００５０】
図１及び図２に示すように、カバー２０のスライド側端部２０２にはガイド棒２２が取り付けられている。ガイド棒２２は、例えばアルミニウム等の金属、プラスチック、木材等により形成されている。図１０に示すように、ガイド棒２２は、断面が例えば矩形や半円形の棒状をなしており、裏側には、表板部材１１のガイドレール１１３に挿通可能なボルト２２１が設けられている。ガイド棒２２は、ユーザによるカバー２０のスライド操作を補助すると共に、カバー２０を本体１０に対してスライド可能に取り付けるために用いられる。
【００５１】
立体視ビューワー１を組み立てる際には、まず、図５に示すように、本体１０の裏板部材１２に保持シート４０を取り付ける。次に、図１０に示すように、ガイド棒２２のボルト２２１を、カバー２０の貫通孔２０５に挿通し、さらに、ボルト２２１を、図１１に示すように、本体１０の表側から表板部材１１のガイドレール１１３に挿通する。そして、本体１０の内側（表板部材１１の裏側）からボルト２２１にナット２２２を螺合させる。それにより、ガイド棒２２をスライドさせてカバー２０を開閉できるようになる。次に、頬当て２１の突起２１１を、カバー２０の貫通孔２０４及び表板部材１１の貫通孔１１５に挿通し、貫通孔１１５において突起２１１を左右方向（貫通孔１１５の径が小さい方）にずらすことにより、突起２１１を貫通孔１１５に嵌合させる。それにより、本体１０の外側から簡単に、カバー２０を本体１０に取り付けることができ、カバー２０の取り外しも簡単に行うことができる。
【００５２】
なお、本実施形態においては、ガイド棒２２を単純な棒状としているが、ガイド棒２２の形状はこれに限定されず、適宜アレンジしても良い。例えば、ガイド棒２２の表側の面を内側に湾曲させて額当てとしても良い。
【００５３】
また、カバー２０の固定側端部２０１を本体１０に固定する方式は上記に限定されず、例えば、面ファスナー、スナップ、ボタン等を用いてカバー２０を固定しても良い。この場合には、必ずしも頬当て２１を設けなくても良い。
【００５４】
図１２は、立体視ビューワー１の使用方法を説明するための模式図である。立体視ビューワー１を使用する際には、携帯型表示機器２の表示画面２ａ側を裏板部材１２の方に向け、携帯型表示機器２を裏板部材１２と保持シート４０との間に挿入する。
【００５５】
立体視ビューワー１が収納状態にあるとき、ガイド棒２２をガイドレール１１３に沿って押し上げると、本体１０に巻き付けられているカバー２０が緩む。このカバー２０の緩み加減に応じて、連結部１３に設けられたねじりバネ１３６、１３７の付勢力により、表板部材１１と裏板部材１２とが互いに離れて本体１０が厚み方向に拡がる。そして、ガイド棒２２がガイドレール１１３の上端に達し、２つのレンズ３０がカバー２０から露出した状態になると、本体１０が厚み方向に十分に拡がり、レンズ３０と表示画面との間隔が立体視を行うのに適した距離となる。
【００５６】
また、立体視ビューワー１が使用状態にあるとき、ガイド棒２２をガイドレール１１３に沿って押し下げると、それに伴い、表板部材１１と裏板部材１２とが互いに近づき、本体１０が厚み方向に収縮する。そして、ガイド棒２２がガイドレール１１３の下端に達し、２つのレンズ３０がカバー２０に完全に覆われると、立体視ビューワー１は収納状態となる。
【００５７】
以上説明したように、本実施形態によれば、表板部材１１の外側表面１１０においてカバー２０をスライドさせることにより、立体視ビューワー１の収納状態と使用状態とを簡単に切り替えることができる。従って、ユーザは、立体視ビューワー１を容易に携帯することができると共に、必要な時に簡単且つ素早く使用可能な状態にすることができる。
【００５８】
また、本実施形態によれば、ガイド棒２２を設けるので、ユーザは、カバー２０のスライド操作をスムーズに行うことができる。このガイド棒２２は、本体１０の表面から若干突出しているので、庇として、立体視ビューワー１とユーザの顔面との隙間への光の侵入を抑制する効果も得られる。
【００５９】
また、本実施形態によれば、連結部１３にねじりバネ１３６、１３７を設けるので、ユーザは、カバー２０をスライドして開く操作を行うだけで、本体１０を開くことが可能となる。
【００６０】
また、本実施形態によれば、連結部１３にストッパー１３８、１３９を設けるので、ユーザは、カバー２０をスライドして閉じる操作を行うだけで簡単に立体視ビューワー１を収納状態にすることが可能となる。
【００６１】
また、本実施形態によれば、可撓性を有する材料によって形成されたカバー２０で本体１０を覆うので、本体１０に携帯型表示機器２を当接させた状態で、携帯型表示機器２を安定保持することができる。また、様々なサイズの携帯型表示機器２を使用することができるので、汎用性が高い。
【００６２】
また、本実施形態によれば、立体視ビューワー１の使用中、携帯型表示機器２がカバー２０で覆われるため、ユーザの視界への外部の光の侵入を抑制することができる。従って、表示画面２ａが見易くなると共に、鑑賞中のコンテンツへの没入感の低下を抑制することができる。
【００６３】
また、本実施形態によれば、立体視ビューワー１の収納状態ではレンズ３０がカバー２０で覆われるので、立体視ビューワー１を携帯している間もレンズ３０を保護することができる。
【００６４】
また、本実施形態によれば、本体１０とカバー２０とを別部材により構成しているので、カバー２０の素材や模様を変更することにより、立体視ビューワー１のデザイン性を高めることができる。
【００６５】
また、本実施形態によれば、本体１０からカバー２０を簡単に取り外すことができるので、ユーザが自らカバー２０を取り外して洗濯などの手入れをすることができる。従って、立体視ビューワー１を清潔に使用し続けることができる。
【００６６】
また、本実施形態によれば、カバー２０の固定側端部２０１に頬当て２１を設けるので、ユーザの使用感を向上させると共に、カバー２０への皮脂等の付着も抑制することができる。さらに、立体視ビューワー１とユーザの顔面との間における下方からの光の侵入を抑制することも可能となる。
【００６７】
上記実施形態においては、可撓性を有する材料によってカバー２０を形成することとしたが、カバー２０の材料はこれに限定されない。例えば、細長く切り揃えた竹や葦といった天然素材や細長い棒状に成形したプラスチック等を糸によって編み列ねた簾状の構造を有する部材によってカバー２０を形成しても良い。この場合、本体１０の左右方向と平行に棒状の部材を配置することにより、カバーを本体１０に巻き付けることができる。要は、少なくとも本体１０の左右方向と直交する方向において変形可能なシート状の部材であれば、カバー２０として使用することができる。なお、簾状の構造を有する部材によってカバー２０を形成する場合には、ガイド棒２２を必ずしも設けなくても良い。
【００６８】
また、上記実施形態においては、携帯型表示機器２に予めデータが記憶されたコンテンツを、立体視ビューワー１を用いて視聴する場合を説明したが、携帯型表示機器２に内蔵されたカメラを利用しながら立体視を行うことも可能である。この場合、カバー２０及び保持シート４０に、携帯型表示機器２に内蔵されたカメラのレンズ位置に合わせて開口を形成すれば良い。カバー２０及び保持シート４０はいずれも薄い素材により形成されているので、所望の位置に容易に穴あけ加工をすることができる。
【００６９】
また、上記立体視ビューワー１に対してベルトを装着することにより、立体視ビューワー１をユーザの頭部に固定できるようにしても良い。或いは、外部センサ等を取り付けるためのアタッチ装置を上記立体視ビューワー１に設けても良い。
【符号の説明】
【００７０】
１  立体視ビューワー
２  携帯型表示機器
２ａ  表示画面
１０  本体
１１  表板部材
１１ａ、１２ａ  下側端部領域
１１ｂ、１２ｂ  上側端部領域
１２  裏板部材
１３  連結部
１４、１５  側壁
２０  カバー
２１  頬当て
２２  ガイド棒
３０  レンズ
４０  保持シート
１１０  外側表面
１１１  凹部
１１２  鼻当て
１１３  ガイドレール
１１５  貫通孔
１２０  凹部
１２１  開口
１２２  枠
１２３  固定部
１３１、１３２  羽根部
１３３、１３４、１３５  ピン
１３６、１３７  ねじりバネ
１３８、１３９  ストッパー
２０１  固定側端部
２０２  スライド側端部
２０３  切り欠き
２０４、２０５  貫通孔
２１１  突起
２２１  ボルト
２２２  ナット
４０１  開口
【図１】
2019205147.tif 000003
【図２】
2019205147.tif 000004
【図３】
2019205147.tif 000005
【図４】
2019205147.tif 000006
【図５】
2019205147.tif 000007
【図６】
2019205147.tif 000008
【図７】
2019205147.tif 000009
【図８】
2019205147.tif 000010
【図９】
2019205147.tif 000011
【図１０】
2019205147.tif 000012
【図１１】
2019205147.tif 000013
【図１２】
2019205147.tif 000014